(57)【要約】【課題】  本発明の目的は、インターネットのＷｅｂサイトなどで募集中の挿絵写真について、その募集内容にぴったり合う挿絵写真を撮影することができ、またその挿絵写真を投稿することができるデジタルカメラ及び挿絵写真撮影／投稿プログラムを提供することである。【解決手段】  本発明のデジタルカメラ（１０）は、Ｗｅｂサイトから受信した募集写真情報を検出条件として画像からＷｅｂサイトで募集中の被写体を検出する検出手段（１９）と、その検出手段によって募集中の被写体が検出された場合に、その検出元の画像をＷｅｂサイトに挿絵写真として投稿する投稿手段（１９）とを備える。【選択図】  図１
2010257215.tif 000002
【特許請求の範囲】
【請求項１】
Ｗｅｂサイトから受信した募集写真情報を検出条件として画像から前記Ｗｅｂサイトで募集中の被写体を検出する検出手段と、
前記検出手段によって前記募集中の被写体が検出された場合に、その検出元の画像を前記Ｗｅｂサイトに挿絵写真として投稿する投稿手段と
を備えたことを特徴とするデジタルカメラ。
【請求項２】
請求項１に記載のデジタルカメラにおいて、
前記募集写真情報は、前記Ｗｅｂサイトに掲載される記事から抽出した被写体名と、その被写体名に対応させて予め定められた被写体の特徴を示すパラメータの色、質感、シーン、形状の情報である
ことを特徴とするデジタルカメラ。
【請求項３】
請求項１または請求項２に記載のデジタルカメラにおいて、
前記投稿手段は、自動的に、前記検出元の画像を前記Ｗｅｂサイトに挿絵写真として投稿する
ことを特徴とするデジタルカメラ。
【請求項４】
請求項１または請求項２に記載のデジタルカメラにおいて、
前記投稿手段は、ユーザーが投稿を指示した場合に、前記検出元の画像を前記Ｗｅｂサイトに挿絵写真として投稿する
ことを特徴とするデジタルカメラ。
【請求項５】
請求項１または請求項２に記載のデジタルカメラにおいて、
前記投稿手段は、前記募集中の被写体が検出されない画像は、前記Ｗｅｂサイトに投稿しない
ことを特徴とするデジタルカメラ。
【請求項６】
請求項１ないし請求項５の何れか一項に記載のデジタルカメラにおいて、
前記検出手段によって前記募集中の被写体が検出された場合に、その検出された被写体に前記募集中の被写体であることを示す情報を重畳させた前記検出元の画像を表示する表示手段を更に備えた
ことを特徴とするデジタルカメラ。
【請求項７】
Ｗｅｂサイトから受信した募集写真情報を検出条件として画像から前記Ｗｅｂサイトで募集中の被写体を検出する検出ステップと、
前記検出ステップによって前記募集中の被写体が検出された場合に、その検出元の画像を前記Ｗｅｂサイトに挿絵写真として投稿する投稿ステップと
をコンピュータに実行させることを特徴とする挿絵写真撮影／投稿プログラム。
【請求項８】
請求項７に記載の挿絵写真撮影／投稿プログラムにおいて、
前記募集写真情報は、前記Ｗｅｂサイトに掲載される記事から抽出した被写体名と、その被写体名に対応させて予め定められた被写体の特徴を示すパラメータの色、質感、シーン、形状の情報である
ことを特徴とする挿絵写真撮影／投稿プログラム。
【請求項９】
請求項７または請求項８に記載の挿絵写真撮影／投稿プログラムにおいて、
前記投稿ステップは、自動的に、前記検出元の画像を前記Ｗｅｂサイトに挿絵写真として投稿する
ことを特徴とする挿絵写真撮影／投稿プログラム。
【請求項１０】
請求項７または請求項８に記載の挿絵写真撮影／投稿プログラムにおいて、
前記投稿ステップは、ユーザーが投稿を指示した場合に、前記検出元の画像を前記Ｗｅｂサイトに挿絵写真として投稿する
ことを特徴とする挿絵写真撮影／投稿プログラム。
【請求項１１】
請求項７または請求項８に記載の挿絵写真撮影／投稿プログラムにおいて、
前記投稿ステップは、前記募集中の被写体が検出されない画像は、前記Ｗｅｂサイトに投稿しない
ことを特徴とする挿絵写真撮影／投稿プログラム。
【請求項１２】
請求項７ないし請求項１１の何れか一項に記載の挿絵写真撮影／投稿プログラムにおいて、
前記検出ステップによって前記募集中の被写体が検出された場合に、その検出された被写体に前記募集中の被写体であることを示す情報を重畳させた前記検出元の画像を表示する表示ステップを更にコンピュータに実行させる
ことを特徴とする挿絵写真撮影／投稿プログラム。
【発明の詳細な説明】
【技術分野】
【０００１】
本発明は、インターネットの写真投稿サイトなどで募集中の挿絵写真について、その募集内容にぴったり合う挿絵写真を撮影することができ、またその挿絵写真を投稿することができるデジタルカメラ及び挿絵写真撮影／投稿プログラムに関する。
【背景技術】
【０００２】
写真撮影に慣れていないユーザーに写真を撮影するモチベーションを与える方法として、例えば、特許文献１には、インターネットのＷｅｂサイトなどにおいて、データベースに格納された文芸書の文書データから被写体になりうるキーワードを含むセンテンスのテキストデータが予め抽出される。そして、ユーザーがデジタルカメラで写真を撮影する際、デジタルカメラのモニタ画面等に表示されるスルー画像に、Ｗｅｂサイトから受信したセンテンスのテキストデータが重畳表示され、また、その状態で本撮影を行うと、当該センテンスのテキストデータが重畳合成された写真が撮影されるという方法が開示されている。
【０００３】
この従来の方法によれば、旅行などで文芸書（作品）の舞台となった縁の地を訪れた際に、ユーザーは、携行したデジタルカメラのモニタ画面等で文芸書に書かれた文章（センテンスのテキストデータ）を見ながら（読みながら）その縁の場所の写真を撮影することができる。そのため、ユーザーは楽しみながら写真を撮影できるようになるので、写真撮影に対するユーザーのモチベーションを高めることができる。
【先行技術文献】
【特許文献】
【０００４】
【特許文献１】特開２００８−２７１２３９号公報
【発明の概要】
【発明が解決しようとする課題】
【０００５】
ところで、近年、インターネットにおいては、募集をかけてユーザーに旅行などの写真を投稿してもらい、その投稿された写真と、記者などが予め執筆した記事とを一緒に掲載するというＷｅｂサイトが増えている。このようなＷｅｂサイトの多くは、その記事の内容にぴったり合った写真（挿絵写真）をユーザーが投稿してくれることを求めている。
【０００６】
しかしながら、従来技術では、撮影時に文芸書に書かれた文章（センテンスのテキストデータ）が表示され、また、本撮影により当該文章の重畳合成された写真が撮影されるが、記事（文章）の内容にぴったり合う写真が必ずしも撮影されない。つまり、従来技術では、Ｗｅｂサイトの求める内容（募集内容）にぴったり合う写真（挿絵写真）を撮影することができなかった。
【０００７】
本発明は、上記従来技術の課題を解決するためのものである。本発明の目的は、インターネットのＷｅｂサイトなどで募集中の挿絵写真について、その募集内容にぴったり合う挿絵写真を撮影することができ、またその挿絵写真を投稿することができるデジタルカメラ及び挿絵写真撮影／投稿プログラムを提供することである。
【課題を解決するための手段】
【０００８】
第１の発明のデジタルカメラは、Ｗｅｂサイトから受信した募集写真情報を検出条件として画像からＷｅｂサイトで募集中の被写体を検出する検出手段と、その検出手段によって募集中の被写体が検出された場合に、その検出元の画像をＷｅｂサイトに挿絵写真として投稿する投稿手段とを備える。
【０００９】
第２の発明は、第１の発明において、募集写真情報は、Ｗｅｂサイトに掲載される記事から抽出した被写体名と、その被写体名に対応させて予め定められた被写体の特徴を示すパラメータの色、質感、シーン、形状の情報である。
【００１０】
第３の発明は、第１または第２の発明において、投稿手段は、自動的に、検出元の画像をＷｅｂサイトに挿絵写真として投稿する。
【００１１】
第４の発明は、第１または第２の発明において、投稿手段は、ユーザーが投稿を指示した場合に、検出元の画像をＷｅｂサイトに挿絵写真として投稿する。
【００１２】
第５の発明は、第１または第２の発明において、投稿手段は、募集中の被写体が検出されない画像は、Ｗｅｂサイトに投稿しない。
【００１３】
第６の発明は、第１ないし第５の発明の何れか一の発明において、検出手段によって募集中の被写体が検出された場合に、その検出された被写体に募集中の被写体であることを示す情報を重畳させた検出元の画像を表示する表示手段を更に備える。
【００１４】
第７の発明の挿絵写真撮影／投稿プログラムは、Ｗｅｂサイトから受信した募集写真情報を検出条件として画像からＷｅｂサイトで募集中の被写体を検出する検出ステップと、その検出ステップによって募集中の被写体が検出された場合に、その検出元の画像をＷｅｂサイトに挿絵写真として投稿する投稿ステップとをコンピュータに実行させる。
【００１５】
第８の発明は、第７の発明において、募集写真情報は、Ｗｅｂサイトに掲載される記事から抽出した被写体名と、その被写体名に対応させて予め定められた被写体の特徴を示すパラメータの色、質感、シーン、形状の情報である。
【００１６】
第９の発明は、第７または第８の発明において、投稿ステップは、自動的に、検出元の画像をＷｅｂサイトに挿絵写真として投稿する。
【００１７】
第１０の発明は、第７または第８の発明において、投稿ステップは、ユーザーが投稿を指示した場合に、検出元の画像をＷｅｂサイトに挿絵写真として投稿する。
【００１８】
第１１の発明は、第７または第８の発明において、投稿ステップは、募集中の被写体が検出されない画像は、Ｗｅｂサイトに投稿しない。
【００１９】
第１２の発明は、第７ないし第１１の発明の何れか一の発明において、検出ステップによって募集中の被写体が検出された場合に、その検出された被写体に募集中の被写体であることを示す情報を重畳させた検出元の画像を表示する表示ステップを更にコンピュータに実行させる。
【発明の効果】
【００２０】
本発明では、Ｗｅｂサイトから受信した募集写真情報（挿絵写真の募集内容）を検出条件として画像からＷｅｂサイトで募集中の被写体を検出する。そして、当該募集中の被写体が検出された場合に、その検出元の画像をＷｅｂサイトに挿絵写真として投稿する。
【００２１】
従って、本発明を利用すれば、インターネットのＷｅｂサイトなどで募集中の挿絵写真について、その募集内容にぴったり合う挿絵写真を撮影することができ、またその挿絵写真を投稿することができる。
【図面の簡単な説明】
【００２２】
【図１】第１実施形態に係る挿絵写真募集／投稿システムの構成図である。
【図２】デジタルカメラの構成を示すブロック図である。
【図３】インターネットサーバーの構成を示すブロック図である。
【図４】募集写真情報データベースの一例を示す図である。
【図５】デジタルカメラの挿絵写真の投稿に係る動作を示す流れ図である。
【図６】募集内容問合せ画面の一例を示す図である。
【図７】デジタルカメラとインターネットサーバーの通信シーケンス図である。
【図８】募集対象の被写体が検出された場合の表示方法を示す図である。
【図９】募集条件を満たす程度の評価結果をポイント表示する方法を示す図である。
【図１０】投稿確認画面の一例を示す図である。
【図１１】インターネットサーバーの挿絵写真の募集および投稿に係る動作を示す流れ図である。
【図１２】変形例のデジタルカメラの挿絵写真の投稿に係る動作を示す流れ図である。
【図１３】変形例のインターネットサーバーの挿絵写真の募集および投稿に係る動作を示す流れ図である。
【発明を実施するための形態】
【００２３】
（第１実施形態）
以下、本発明の第１実施形態を説明する。
【００２４】
図１は、本発明の第１実施形態に係るデジタルカメラを含む挿絵写真募集／投稿システムの構成図である。
【００２５】
図１に示すとおり、挿絵写真募集／投稿システムは、インターネット上で挿絵写真の募集を行うインターネットサーバー３０（挿絵写真募集サイト）と、その挿絵写真募集サイトから取得した募集写真情報（挿絵写真の募集内容）に基づきその募集内容に合った挿絵写真を撮影して当該サイトに投稿するデジタルカメラ１０とによって構成される。なお、デジタルカメラ１０は、公衆無線ＬＡＮなどの無線通信回線を介してインターネット上のインターネットサーバー３０（挿絵写真募集サイト）と通信を行う構成となっている。
【００２６】
先ず、デジタルカメラ１０の構成について説明する。
【００２７】
図２は、デジタルカメラ１０の構成を示すブロック図である。デジタルカメラ１０は、撮像レンズ１１およびレンズ駆動部１２と、撮像素子１３と、アナログ信号処理部１４と、タイミングジェネレータ（ＴＧ）１５と、バッファメモリ１６と、画像処理部１７と、無線通信部１８と、制御部１９と、モニタ２０と、圧縮／復号部２１と、記録媒体２２と、操作部２３と、バス２４とを有している。ここで、バッファメモリ１６、画像処理部１７、無線通信部１８、制御部１９、モニタ２０、圧縮／復号部２１、記録媒体２２は、バス２４を介して接続されている。また、レンズ駆動部１２、アナログ信号処理部１４、ＴＧ１５、操作部２３は、それぞれ制御部１９に接続されている。
【００２８】
撮像レンズ１１は、フォーカスレンズやズームレンズを含む複数のレンズ群で構成されている。なお、簡単のため、図２では撮像レンズ１１を１枚のレンズとして図示している。
【００２９】
レンズ駆動部１２は、制御部１９の指示に応じてレンズ駆動信号を発生し、撮像レンズ１１を光軸方向に移動させてフォーカス調整やズーム調整を行うと共に、撮像レンズ１１を通過した光束による被写体像を撮像素子１３の受光面に形成する。
【００３０】
撮像素子１３は、ＣＣＤ型やＣＭＯＳ型のエリアイメージセンサであり、撮像レンズ１１の像空間側に配置されている。撮像素子１３は、受光面に形成された被写体像を光電変換してアナログ画像信号を生成する。この撮像素子１３の出力はアナログ信号処理部１４に接続されている。
【００３１】
アナログ信号処理部１４は、制御部１９の指示に応じて、撮像素子１３から出力されたアナログ画像信号に対し、ＣＤＳ（相関二重サンプリング）、ゲイン調整、Ａ／Ｄ変換などのアナログ信号処理を施すと共に、処理後の画像信号を出力する。また、アナログ信号処理部１４は、制御部１９の指示に基づいてゲイン調整の調整量を設定し、それによってＩＳＯ感度に相当する撮影感度の調整を行う。なお、アナログ信号処理部１４の出力はバッファメモリ１６に接続されている。
【００３２】
ＴＧ１５は、制御部１９の指示に基づき撮像素子１３およびアナログ信号処理部１４に対してタイミングパルスを供給する。撮像素子１３およびアナログ信号処理部１４の駆動タイミングはそのタイミングパルスによって制御される。
【００３３】
バッファメモリ１６は、アナログ信号処理部１４から出力される画像信号を画像データとして一時的に記憶する。また、バッファメモリ１６は、制御部１９による処理の過程で作成された画像データを一時的に記憶する。
【００３４】
画像処理部１７は、制御部１９の指示に応じて、バッファメモリ１６の画像データに対し、ホワイトバランス調整、色分離（補間）、ガンマ補正などの画像処理を施す。なお、画像処理部１７は、ＡＳＩＣなどとして構成される。
【００３５】
圧縮／復号部２１は、制御部１９の指示に応じて、バッファメモリ１６などに記録された画像データに対して圧縮処理を施す。なお、圧縮処理は、ＪＰＥＧ（Joint Photographic Experts Group）形式などによって行われる。
【００３６】
無線通信部１８は、制御部１９の指示に応じて、デジタルカメラ１０を、例えば、無線ＬＡＮや携帯電話回線などの無線通信回線を介してインターネットに接続する。また、無線通信部１８は、制御部１９の指示に応じて、インターネット上の所定のサーバー（インターネットサーバー３０を含む）へ接続すると共に、デジタルカメラ１０で撮影した撮影画像（挿絵写真）のファイルを当該サーバーに対して送信（投稿）する。
【００３７】
モニタ２０は、デジタルカメラ１０筐体の背面などに設けられたＬＣＤモニタや、接眼部を備えた電子ファインダなどであり、制御部１９の指示に応じて、撮影画像などの各種の画像や、デジタルカメラ１０が必要とする情報を撮影者に入力させるＧＵＩ画面等を表示する。
【００３８】
記録媒体２２には、制御部１９によって、撮影画像の画像データ等が記録される。なお、記録媒体２２は、半導体メモリを内蔵したメモリカードや、小型のハードディスクなどである。記録媒体２２は、デジタルカメラ１０に内臓されるものであっても、着脱可能に装着されるものであってもよい。
【００３９】
操作部２３は、モードボタン、レリーズボタン、メニューボタンなどの操作部材を含み、撮影者による部材操作の内容に応じた操作信号を制御部１９に送る。
【００４０】
制御部１９は、操作部２３から送られた操作信号に応じてデジタルカメラ１０の各部を統括制御する。例えば、モードボタン等の操作によりデジタルカメラ１０が撮影モードに設定されると、制御部１９は、レンズ駆動部１２、アナログ信号処理部１４およびＴＧ１５を駆動してスルー画像の撮影を開始する。このとき、撮像素子１３はドラフトモード（間引き読み出しモード）で駆動され、スルー画像の画像データがアナログ信号処理部１４を介してバッファメモリ１６へ順次記録される。制御部１９は、そのスルー画像の画像データを基に、レンズ駆動部１２と協働して撮像レンズ１１の焦点調節制御（ＡＦ）を行う。また、制御部１９は、不図示の測光部を駆動して、バッファメモリ１６のスルー画像の画像データを基に撮影シーンの評価値を算出させると、その評価値に基づきアナログ信号処理部１４などの設定内容を調節する。また、制御部１９は、画像処理部１７を駆動してバッファメモリ１６のスルー画像の画像データに画像処理を施した後、モニタ２０を駆動して画像処理後のスルー画像の画像データをＬＣＤモニタ等に順次表示させる（ライブビュー表示）。
【００４１】
次に、撮影モードで動作中にレリーズボタンが全押しされると、制御部１９は、不図示の測光部が算出した評価値等に基づき撮影条件（絞り値やシャッター速度など）を決定すると共に、その決定した撮影条件の下でレンズ駆動部１２、アナログ信号処理部１４およびＴＧ１５を駆動して本撮影を行う。このとき、撮像素子１３はフレームモード（全画素読み出しモード）で駆動され、撮影された撮影画像の画像データがアナログ信号処理部１４を介してバッファメモリ１６へ記録される。この記録の後、制御部１９は、画像処理部１７および圧縮／復号部２１を駆動して、バッファメモリ１６に記録された撮影画像の画像データに対し画像処理および圧縮処理を施すと共に、それら処理後の画像データを記録媒体２２へ記録する。なお、制御部１９は、デジタルカメラ１０が非圧縮記録モードに設定された場合には、圧縮／復号部２１を駆動することなく、画像処理後の撮影画像の画像データを非圧縮のまま記録媒体２２へ記録する。
【００４２】
また、モードボタンの操作によりデジタルカメラ１０が画像再生モードに設定されると、制御部１９は、モニタ２０を駆動して、記録媒体２２に記録された撮影画像をＬＣＤモニタなどに表示させる。
【００４３】
次に、インターネットサーバー３０の構成を、図３のブロック図を用いて説明する。
【００４４】
なお、インターネットサーバー３０は、例えば、グルメ情報、観光情報、地域情報などをユーザーに提供するＷｅｂサイトとして動作するサーバーである。本システムでは、地域情報などの記事中で使用する挿絵写真をインターネット上で募集する機能と、ユーザーからの挿絵写真の投稿を受け付ける機能とを備えたサーバーを想定している。
【００４５】
インターネットサーバー３０は、ＣＰＵ３１と、操作部３２と、ハードディスク装置３３と、表示部３４と、入出力インターフェース（入出力Ｉ／Ｆ）３５と、通信インターフェース（通信Ｉ／Ｆ）３６とを備えている。
【００４６】
ＣＰＵ３１は、ハードディスク装置３３に予め格納された制御プログラムを実行することで、インターネットサーバー３０の各部を統括制御する。
【００４７】
操作部３２は、キーボード、また、マウスやトラックパッド等のポインティングデバイスなど、ＣＰＵ３１に対して操作者が指示を行うための各種の入力デバイスを含んでいる。操作者（この場合、Ｗｅｂサイトの運用管理者や、同サイトの記事の編集者など）は、これらの入力デバイスを操作することで、ＣＰＵ３１に対して、例えば、地域情報等の記事の作成／編集や当該記事のＷｅｂサイトへの掲載といった各種の指示を行うことができる。
【００４８】
ハードディスク装置３３は、ＣＰＵ３１が実行する制御プログラムや、挿絵写真の募集および投稿に係るアプリケーションプログラムなどの各種のプログラム、また、それらのプログラムの実行に必要となる各種のデータなどを格納する。
【００４９】
なお、インターネットサーバー３０の初期時には、これらのプログラムやデータは、ＤＶＤ（Digital Versatile Disc）やＣＤ（Compact Disc）などの記憶媒体（不図示）に記憶されている。そして、操作者がインストール指示や読み込み（取り込み）指示を行ったときに、それらのプログラムやデータが、ＣＰＵ３１により記憶媒体（不図示）から読み出されてハードディスク装置３３へ格納される。
【００５０】
また、ハードディスク装置３３は、その内部に設けられた所定のディレクトリ又はフォルダに、操作者（編集者）によって作成／編集された地域情報等の記事やユーザーによって投稿された挿絵写真、また、後述の募集写真情報のデータベースなどを格納する。
【００５１】
表示部３４は、ＬＣＤディスプレイやＣＲＴディスプレイなどの表示装置である。
【００５２】
表示部３４は、ＣＰＵ３１の指示に応じて、ハードディスク装置３３に格納された地域情報等の記事や挿絵写真などを表示する。
【００５３】
入出力Ｉ／Ｆ３５は、ＵＳＢ（Universal Serial Bus）などの規格に基づくインターフェースである。先述の記憶媒体（不図示）に記憶されたプログラムやデータは、この入出力Ｉ／Ｆ３５を介してハードディスク装置３３へ読み込まれる。
【００５４】
なお、上述した操作部３２のキーボードやマウスは、この入出力Ｉ／Ｆ３５に接続される構成であってもよい。
【００５５】
通信Ｉ／Ｆ３６は、インターネットサーバー３０をインターネットに接続するためのＬＡＮ／ＷＡＮインターフェースである。
【００５６】
ＣＰＵ１１は、この通信Ｉ／Ｆ３６を介して、インターネットに接続されたデジタルカメラ１０との通信を行う。
【００５７】
また、インターネットサーバー３０は、挿絵写真の募集内容（募集写真情報）を管理するため、例えば、図４に示すようなデータベース（募集写真情報データベース）を保持している。
【００５８】
この募集写真情報データベースで管理される募集写真情報は、操作者（編集者）が地域情報等の記事を作成／編集した際などに、インターネットサーバー３０によって自動的に生成される情報である。
【００５９】
具体的には、例えば、地域情報を掲載するＷｅｂサイトの編集者が以下のような記事を作成／編集したとする。
『・・・明治神宮外苑付近はイベントがないときは静かで気が落ち着く場所である。逆にスポーツなどのイベントがあるときは応援などで非常に盛り上がる。また外苑のイチョウ並木が秋に見せる黄葉はすばらしく、晴れたときは・・・』
そうすると、インターネットサーバー３０は、この記事の中から、地域を示すキーワード（地域キーワード）の「明治神宮外苑」と、被写体を示すキーワード（被写体キーワード）の「イチョウ」を抽出する。なお、地域キーワードと被写体キーワードは、操作者がインターネットサーバー３０に辞書データベースなどとして予め登録する情報である。但し、この点については、別途、操作者が、記事の中から地域キーワードや被写体キーワードとなる語句を指定するようにしてもよい。そして、インターネットサーバー３０は、抽出したそれらのキーワードを、図４の例のように紐付けて募集写真情報データベースに登録する。この登録により、挿絵写真の募集内容（募集写真情報）として、「明治神宮外苑」地域で「銀杏（イチョウ）」を被写体とする挿絵写真を募集していることが管理されるようになる。
【００６０】
また、インターネットサーバー３０は、抽出した被写体キーワードの「イチョウ」の特徴を示すパラメータを上記の記事の中から抽出すると、その抽出したパラメータを募集写真情報データベースの被写体キーワードの「銀杏（イチョウ）」に対応したレコードに登録する。
【００６１】
図４の例では、募集写真情報データベースに、色、質感、シーン、形状という４つのパラメータを登録可能としている。
【００６２】
そして、そのうちの色には、記事中の『秋に見せる黄葉』との部分から抽出したキーワード（２つ）の「秋」及び「黄葉」を基に決定したＲＧＢカラーコードの「#ECC977」が登録されている。
【００６３】
また、質感には、記事中の『秋に見せる黄葉はすばらしく、晴れたときは』との部分から抽出したキーワード（３つ）の「秋」、「黄葉」、「晴れ」を基に決定した「質感パラメータＡ」、具体的には、例えば、「光沢，柔らかい」というような情報が登録されている。
【００６４】
また、シーンには、記事中の『秋に見せる黄葉はすばらしく、晴れたときは』との部分から抽出したキーワード（２つ）の「秋」及び「晴れ」を基に決定した「シーンパラメータＢ」、具体的には、例えば、「色温度」や「（色温度に対応した）ホワイトバランス値」というような情報が登録されている。
【００６５】
また、形状には、記事中の『外苑のイチョウ並木が秋に見せる黄葉』との部分から抽出したキーワード（３つ）の「並木」、「秋」、「黄葉」を基に決定した「形状パラメータＣ」、具体的には、例えば、「木が２本以上，葉が茂っている（まだ落葉していない）」というような情報が登録されている。
【００６６】
なお、これら「秋」、「黄葉」、「晴れ」などのキーワードと、これらキーワードに対応して決定される、色、質感、シーン、形状の各パラメータの情報とは、操作者がインターネットサーバー３０にデータベースなどとして予め登録する情報である。
【００６７】
この被写体キーワードの特徴を示すパラメータの登録により、募集内容（募集写真情報）として、上記のような色、質感、シーン、形状を条件とする「銀杏（イチョウ）」の挿絵写真を募集していることが管理されるようになる。
【００６８】
なお、パラメータを記事から抽出できない場合、抽出できなかったパラメータについては指定（条件）が無いことを示す文字の「ａｎｙ」（予約語）が自動的に募集写真情報データベースに登録される。しかし、この点については、抽出できなかったことを操作者に通知して当該パラメータの好ましい値を募集写真情報データベースに登録させるようにしてもよい。
【００６９】
以下、第１実施形態の挿絵写真募集／投稿システムにおける挿絵写真の募集と投稿に係る動作を説明する。
【００７０】
先ず、デジタルカメラ１０が行う挿絵写真の投稿に係る動作を、図５の流れ図を参照して説明する。図５は、例えば、ユーザーが、モードボタン等を操作して、デジタルカメラ１０を挿絵写真投稿モードに設定した場合に実行されるフローチャートである。
【００７１】
ステップＳ１０１：制御部１９は、モニタ２０を駆動して、「募集内容問合せ画面」をデジタルカメラ１０のＬＣＤモニタ等に表示する。
【００７２】
ここで、「募集内容問合せ画面」について説明する。「募集内容問合せ画面」は、挿絵写真の募集内容をインターネットサーバー３０（挿絵写真募集サイト）に問い合わせるためのＧＵＩ画面である。
【００７３】
この画面の例を図６に示す。問い合わせを行う場合、ユーザーは、先ず、図６の画面の「現在地」と表示された部分の入力欄に、現在居る地点（地域）の情報を入力する。例えば、ユーザーが、現在、明治神宮外苑に居る場合には、入力欄に「明治神宮外苑」と入力する。そして、その入力後に、ユーザーは、図６の画面の「検索ボタン」を押下する。これにより、ユーザーは、制御部１９に対してインターネットサーバー３０（挿絵写真募集サイト）への問い合わせを指示することができる。
【００７４】
ステップＳ１０２：制御部１９は、ユーザーが問い合わせを指示すると、挿絵写真の募集内容を問い合わせるため、インターネットサーバー３０（挿絵写真募集サイト）に対して「募集内容問合せ」メッセージを送信する。なお、同メッセージには、パラメータの１つとして「現在地情報」が含まれる。「現在地情報」は、「募集内容問合せ画面」を介して入力された情報（例えば、上記の説明では「明治神宮外苑」）である。
【００７５】
ステップＳ１０３：制御部１９は、インターネットサーバー３０（挿絵写真募集サイト）から問い合わせに対する「応答」メッセージを受信すると、同メッセージに含まれる「問合せ結果」の情報を取得する。なお、ここで取得される情報は、インターネットサーバー３０（挿絵写真募集サイト）が、デジタルカメラ１０からの募集内容の問い合わせに応じて既述の募集写真情報データベースから取得した募集写真情報（挿絵写真の募集内容）である。
【００７６】
そして、制御部１９は、モニタ２０を駆動して、先に表示した「募集内容問合せ画面」の「検索結果」の欄に、「問合せ結果」として取得した募集写真情報の内容を表示する。なお、本システムでは、その募集写真情報のうち、被写体名（既述の被写体キーワード）のみを表示するようにしている。図６の例では、「銀杏（イチョウ）」、「国立競技場」、「花火」との３つの被写体名が表示されている。
【００７７】
ユーザーは、この表示によって、現在、「明治神宮外苑」地域で「銀杏（イチョウ）」等を被写体とする挿絵写真の募集が行われていることを知ることができる。
【００７８】
その後、ユーザーが、「募集内容問合せ画面」の「検索結果」の欄に表示された被写体名から撮影したい被写体を１つ以上選択すると、制御部１９は、ユーザーが選択した被写体（１つ以上）に対応する被写体名（既述の被写体キーワード）及びその被写体の特徴を示すパラメータ（既述の色、質感、シーン、形状など）を、上記で「問合せ結果」として取得した募集写真情報から抽出して、それを不図示の不揮発性メモリなどに保存する。
【００７９】
なお、以下では、ユーザーが、撮影したい被写体として、図６の例の「銀杏（イチョウ）」のみを選択したものとして説明を行う。
【００８０】
ここで、上記のステップＳ１０２及びＳ１０３の処理に関しデジタルカメラ１０とインターネットサーバー３０との間で行われる通信のシーケンスについて、その具体的な内容を図７の（１）に示す。なお、この図７（１）の通信シーケンスは、あくまで一例を示したものである。
【００８１】
以下、この図７（１）の通信シーケンスについて説明する。
【００８２】
ユーザーが募集内容の問い合わせを指示すると、デジタルカメラ１０は、接続要求メッセージをインターネットサーバー３０に対して送信する。一方、これを受信したインターネットサーバー３０は、接続が可能であれば、接続確認メッセージをデジタルカメラ１０に対して返送する。
【００８３】
次に、デジタルカメラ１０は、接続確認メッセージを受信すると、ユーザー（利用者）認証を行うため、認証要求メッセージをインターネットサーバー３０に対して送信する。なお、認証要求メッセージには、パラメータとして、Ｗｅｂサイトの登録ユーザーであるかを識別するための「ＩＤ」及び「ＰＷＤ（パスワード）」情報が含まれる。この「ＩＤ」及び「ＰＷＤ」情報は、ユーザーが、例えば、デジタルカメラ１０の認証情報登録用のＧＵＩ画面などを介して設定することができる。一方、認証要求メッセージを受信したインターネットサーバー３０は、メッセージに含まれる「ＩＤ」及び「ＰＷＤ」情報を基に、例えば、ユーザー認証用データベースを検索して、Ｗｅｂサイトの登録ユーザーであるかを判別する。そして、登録ユーザーであれば、インターネットサーバー３０は、認証応答メッセージ（パラメータに、認証「ＯＫ」との情報を含む）をデジタルカメラ１０に対して返送する。
【００８４】
このようにユーザー認証が完了した後に、デジタルカメラ１０は、募集内容問合せメッセージをインターネットサーバー３０（挿絵写真募集サイト）に対して送信する。なお、このメッセージには、パラメータとして、既述の「現在地情報」が含まれる。一方、これを受信したインターネットサーバー３０は、そのメッセージに含まれる「現在地情報」を基に募集写真情報データベースを検索して、その「現在地情報」の示す地域で現在募集している挿絵写真の募集内容（募集写真情報）を取得する。そして、インターネットサーバー３０は、取得した募集写真情報を問合せ結果として含んだ応答メッセージをデジタルカメラ１０に対して返送する。
【００８５】
そして、デジタルカメラ１０は、その問合せ結果を含んだ応答メッセージを受信すると、切断要求メッセージをインターネットサーバー３０に対して送信する。一方、これを受信したインターネットサーバー３０は、切断確認メッセージをデジタルカメラ１０に返送して、デジタルカメラ１０との通信を終了する。また、デジタルカメラ１０は、その切断確認メッセージを受信すると、インターネットサーバー３０との通信を終了する。
【００８６】
ステップＳ１０４：制御部１９は、挿絵写真投稿モードの終了が指示されたか否かを判定する。なお、その終了指示は、例えば、ユーザーが、モードボタン等を操作して、デジタルカメラ１０を挿絵写真投稿モード以外のモードに設定した場合などに行われる。
【００８７】
制御部１９は、挿絵写真投稿モードの終了が指示された場合（Ｙｅｓ側）には本フローチャートの処理を終了する。一方、制御部１９は、終了が指示されていない場合（Ｎｏ側）にはステップＳ１０５へ移行する。
【００８８】
ステップＳ１０５：制御部１９は、レンズ駆動部１２、アナログ信号処理部１４およびＴＧ１５を駆動してスルー画像の撮影を開始する。このとき、撮像素子１３はドラフトモード（間引き読み出しモード）で駆動され、スルー画像の画像データがアナログ信号処理部１４を介してバッファメモリ１６へ順次記録される。また、制御部１９は、画像処理部１７を駆動して、バッファメモリ１６に記録されるスルー画像に対して必要な画像処理を施す。
【００８９】
なお、ここでユーザーは、Ｗｅｂサイトに投稿する挿絵写真を撮影するため、明治神宮外苑のイチョウ並木にデジタルカメラのレンズを向けているものとする。
【００９０】
ステップＳ１０６：制御部１９は、画像処理後のバッファメモリ１６のスルー画像から募集の被写体を検出する。なお、ここでは、制御部１９は、上記で不図示の不揮発性メモリなどに保存した被写体名（既述の被写体キーワード）及びその被写体の特徴を示すパラメータ（既述のとおり、色、質感、シーン、形状など）を条件として被写体検出を行う。これにより、挿絵写真の募集内容（募集条件）にぴったり合った被写体がスルー画像から検出される。
【００９１】
ステップＳ１０７：制御部１９は、募集の被写体を検出できたか否かを判定する。そして、制御部１９は、検出できた場合（Ｙｅｓ側）にはステップＳ１０８へ移行し、一方、検出できなかった場合（Ｎｏ側）にはステップＳ１０９へ移行する。
【００９２】
ステップＳ１０８：制御部１９は、検出した被写体に募集対象であることを示す情報を重畳させると共に、モニタ２０を駆動して、その重畳後のスルー画像をデジタルカメラ１０のＬＣＤモニタ等に表示する。
【００９３】
ここで、この表示の例を図８に示す。図８では、検出された被写体の「銀杏（イチョウ）」に、募集対象であることを示す情報の「点線枠」が重畳表示されている。これにより、ユーザーは、現在、デジタルカメラが、募集内容（募集条件）にぴったり合った被写体を捉えていることを知ることができる。
【００９４】
なお、この表示においては、スルー画像に写った被写体が、上記ステップＳ１０６の処理での被写体の検出条件、つまり、挿絵写真の募集条件をどの程度満たしているかを評価して、その評価の結果をポイントで表示するようにしてもよい。
【００９５】
ここで、そうした場合の表示の例を図９に示す。図９の（１）では、評価の結果が「７０ポイント」であり、挿絵写真の募集条件、即ち、投稿の条件を満たすことが表示されている。また、図９の（２）では、評価の結果が「３０ポイント」であり、投稿の条件を満たしていないことが表示されている。なお、この図９の例は、挿絵写真の募集条件、つまり、被写体の検出条件の形状パラメータが、例えば、上述した記事中の『外苑のイチョウ並木が秋に見せる黄葉』との部分に基づき「木が２本以上，葉が茂っている（まだ落葉していない）」という内容に決定された場合のものである。そのため、図９の（１）の被写体は、形状パラメータの「木が２本以上，葉が茂っている（まだ落葉していない）」という募集条件（投稿の条件）を満たす度合いが図９の（２）の被写体よりも高いため、評価の結果も「７０ポイント」と高くなっている。
【００９６】
なお、募集条件の色パラメータについて、それを満たす度合いを評価する場合は、例えば、スルー画像に写った被写体に、当該パラメータで示される色が何パーセント含まれているかを評価するとよい。
【００９７】
上記のような表示により、ユーザーは、デジタルカメラが捉えている現在の被写体が、挿絵写真の募集内容（募集条件）にどの程度合っているものであるかを知ることができる。
【００９８】
この後、制御部１９は、ステップＳ１１０へ移行する。
【００９９】
ステップＳ１０９：募集の被写体を検出できなかったことから、制御部１９は、モニタ２０を駆動して、スルー画像をそのままデジタルカメラ１０のＬＣＤモニタ等に表示する。
【０１００】
ステップＳ１１０：制御部１９は、レリーズボタンが全押しされたか否かを判定する。そして、レリーズボタンが全押しされた場合（Ｙｅｓ側）には、制御部１９は本撮影の実施のためにステップＳ１１１へ移行する。一方、全押しされていない場合（Ｎｏ側）には、制御部１９はステップＳ１０６へ移行して上記の処理を繰り返す（Ｎｏ側）。
【０１０１】
ステップＳ１１１：制御部１９は、ＴＧ１５を駆動して撮像素子１３の駆動を停止させる。これによりスルー画像の撮影を終了する。
【０１０２】
ステップＳ１１２：制御部１９は、不図示の測光部が算出した評価値等を基に決定した撮影条件の下でレンズ駆動部１２、アナログ信号処理部１４およびＴＧ１５を駆動して本撮影を行う。このとき、撮像素子１３はフレームモード（全画素読み出しモード）で駆動され、撮影された撮影画像の画像データがアナログ信号処理部１４を介してバッファメモリ１６へ記録される。
【０１０３】
ステップＳ１１３：制御部１９は、画像処理部１７を駆動して、バッファメモリ１６に記録された撮影画像に対して必要な画像処理を施す。そして、制御部１９は、圧縮／復号部２１を駆動してその画像処理後の撮影画像に対して圧縮処理を施すと共に、圧縮処理後の撮影画像を記録媒体２２へ記録する。
【０１０４】
また、制御部１９は、上記ステップＳ１０６の処理と同様にして、バッファメモリ１６の画像処理後の撮影画像から募集の被写体を検出する。そして、制御部１９は、その検出した被写体に募集対象であることを示す情報を重畳させると共に、モニタ２０を駆動して、その重畳後の撮影画像をデジタルカメラ１０のＬＣＤモニタ等に表示する。このとき、重畳後の撮影画像は、ＧＵＩ画面の「投稿確認画面」と共に表示される。なお、「投稿確認画面」は、本撮影により取得した撮影画像（挿絵写真）をＷｅｂサイトに投稿するか否かをユーザーに指示させるための画面である。
【０１０５】
ここで、「投稿確認画面」の例を図１０に示す。図１０の例では、ユーザーは、撮影画像（挿絵写真）をＷｅｂサイトに投稿したければ、「投稿確認画面」に表示された「Ｙｅｓ」のボタンを選択して押下するようにする。一方、撮影画像（挿絵写真）をＷｅｂサイトに投稿したくない場合、ユーザーは、「投稿確認画面」の「Ｎｏ」のボタンを選択して押下するようにする。
【０１０６】
ステップＳ１１４：制御部１９は、本撮影により取得した撮影画像（挿絵写真）をＷｅｂサイトに投稿するか否かを判定する。なお、撮影画像（挿絵写真）を投稿するか否かは、上記のようにしてユーザーがデジタルカメラに指示を行う。
【０１０７】
制御部１９は、撮影画像（挿絵写真）をＷｅｂサイトに投稿する場合（Ｙｅｓ側）には、ステップＳ１１５へ移行する。一方、撮影画像（挿絵写真）を投稿しない場合（Ｎｏ側）には、ステップＳ１０４へ移行して上記の処理を繰り返す。
【０１０８】
ステップＳ１１５：制御部１９は、バッファメモリ１６の画像処理後の撮影画像（募集対象であることを示す情報は重畳されていない）をペイロード等のデータ格納領域に格納した「挿絵写真投稿」メッセージを、インターネットサーバー３０（挿絵写真募集サイト）に対して送信する。これにより、挿絵写真（撮影画像）が挿絵写真募集サイトに投稿される。
【０１０９】
ステップＳ１１６：制御部１９は、インターネットサーバー３０（挿絵写真募集サイト）から投稿に対する「応答（投稿受付完了）」メッセージを受信すると、挿絵写真の挿絵写真募集サイトへの投稿が終了したことを認識する。そして、制御部１９は、上記の処理を繰り返すためにステップＳ１０４へ移行する。
【０１１０】
ここで、上記のステップＳ１１５及びＳ１１６の処理に関しデジタルカメラ１０とインターネットサーバー３０との間で行われる通信のシーケンスについて、その具体的な内容を図７の（２）に示す。なお、この図７（２）の通信シーケンスは、あくまで一例を示したものである。
【０１１１】
以下、この図７（２）の通信シーケンスについて説明する。
【０１１２】
先ず、挿絵写真の投稿に当たり、デジタルカメラ１０は、接続要求メッセージをインターネットサーバー３０に対して送信する。一方、これを受信したインターネットサーバー３０は、接続が可能であれば、接続確認メッセージをデジタルカメラ１０に対して返送する。
【０１１３】
次に、デジタルカメラ１０は、接続確認メッセージを受信すると、ユーザー（利用者）認証を行うため、認証要求メッセージをインターネットサーバー３０に対して送信する。一方、認証要求メッセージを受信したインターネットサーバー３０は、メッセージに含まれる「ＩＤ」及び「ＰＷＤ」情報を基に、Ｗｅｂサイトの登録ユーザーであるかを判別する。そして、登録ユーザーであれば、インターネットサーバー３０は、認証応答メッセージ（パラメータに、認証「ＯＫ」との情報を含む）をデジタルカメラ１０に対して返送する。なお、認証要求メッセージ及び認証応答メッセージは、既述の図７の（１）の場合と同様のものである。
【０１１４】
このようにユーザー認証が完了した後に、デジタルカメラ１０は、挿絵写真投稿メッセージをインターネットサーバー３０（挿絵写真募集サイト）に対して送信する。なお、このメッセージには、そのペイロード等のデータ格納領域に、本撮影により取得された「撮影画像（挿絵写真）」が格納される。一方、これを受信したインターネットサーバー３０は、そのメッセージから取得した「撮影画像（挿絵写真）」をハードディスク装置３３の所定の格納領域へ格納する。そして、インターネットサーバー３０は、デジタルカメラ１０に対して「投稿受付完了」を示す応答メッセージを返送する。
【０１１５】
そして、デジタルカメラ１０は、その応答メッセージ（投稿受付完了）を受信すると、切断要求メッセージをインターネットサーバー３０に対して送信する。一方、これを受信したインターネットサーバー３０は、切断確認メッセージをデジタルカメラ１０に返送して、デジタルカメラ１０との通信を終了する。また、デジタルカメラ１０は、その切断確認メッセージを受信すると、インターネットサーバー３０との通信を終了する。
【０１１６】
次に、インターネットサーバー３０が行う挿絵写真の募集および投稿に係る動作を、図１１の流れ図を参照して説明する。
【０１１７】
先ず、挿絵写真の募集に係る動作について説明する。
【０１１８】
ステップＳ２０１：ＣＰＵ１１は、デジタルカメラ１０からの「募集内容問合せ」メッセージを受信すると、同メッセージに含まれる「現在地情報」を取得する。
【０１１９】
ステップＳ２０２：ＣＰＵ１１は、取得した「現在地情報」を基に既述の募集写真情報データベースを検索して、その「現在地情報」の示す地域で現在募集している挿絵写真の募集内容（募集写真情報）を取得する。
【０１２０】
ステップＳ２０３：ＣＰＵ１１は、取得した募集写真情報（挿絵写真の募集内容）を「問合せ結果」として含んだ「応答」メッセージをデジタルカメラ１０に対して送信する。
【０１２１】
次に、デジタルカメラ１０が挿絵写真を投稿した際の動作について説明する。
【０１２２】
ステップＳ３０１：ＣＰＵ１１は、デジタルカメラ１０からの「挿絵写真投稿」メッセージを受信すると、同メッセージのペイロード等のデータ格納領域に格納された「撮影画像（挿絵写真）」を取得する。これにより、デジタルカメラ１０によって投稿された挿絵写真（撮影画像）が受信される。
【０１２３】
ステップＳ３０２：ＣＰＵ１１は、投稿された挿絵写真（撮影画像）をハードディスク装置３３の所定の格納領域へ格納する。
【０１２４】
ステップＳ３０３：ＣＰＵ１１は、「投稿受付完了」を示す「応答」メッセージをデジタルカメラ１０に対して送信する。
【０１２５】
（第１実施形態の変形例）
以下、第１実施形態の変形例を説明する。第１実施形態のデジタルカメラ１０では、挿絵写真投稿モードに設定された場合に図５のフローを実行したが、変形例では、図１２のフローを実行する。また、第１実施形態のインターネットサーバー３０では、図１１のフローを実行したが、変形例では、図１３のフローを実行する。
【０１２６】
先ず、デジタルカメラ１０が行う挿絵写真の投稿に係る動作を説明する。以下では、第１実施形態との相違点である図１２のステップＳ４０１とＳ４０２の処理についてのみ説明を行うこととする。なお、残りのステップＳ４０３〜Ｓ４１６の処理については、図５のフローのステップＳ１０３〜Ｓ１１６の処理と内容が同一であるため説明を省略する。
【０１２７】
ステップＳ４０１：制御部１９は、不図示のＧＰＳ受信部によりＧＰＳ（Global Positioning System）衛星から衛星の位置情報を受信すると共に、その受信した衛星の位置情報に基づき測位したデジタルカメラ１０の現在地情報（ＧＰＳ情報）を取得する。
【０１２８】
ステップＳ４０２：制御部１９は、挿絵写真の募集内容を問い合わせるため、インターネットサーバー３０（挿絵写真募集サイト）に対して「募集内容問合せ」メッセージを送信する。なお、同メッセージには、パラメータの１つとして「現在地情報」が含まれる。「現在地情報」は、ここでは上記ステップＳ４０１の処理で取得した「ＧＰＳ情報」である。
【０１２９】
次に、インターネットサーバー３０が行う挿絵写真の募集および投稿に係る動作を説明する。以下では、第１実施形態との相違点である図１３の挿絵写真の募集に係るステップＳ５０１〜Ｓ５０３の処理についてのみ説明を行うこととする。なお、残りのステップＳ５０４及びステップＳ６０１〜Ｓ６０３の処理については、図１１のフローのステップＳ２０３及びステップＳ３０１〜Ｓ３０３の処理と内容が同一であるため説明を省略する。
【０１３０】
ステップＳ５０１：ＣＰＵ１１は、デジタルカメラ１０からの「募集内容問合せ」メッセージを受信すると、同メッセージに含まれる「現在地情報」を取得する。「現在地情報」は、ここでは上記のとおり「ＧＰＳ情報」である。
【０１３１】
ステップＳ５０２：ＣＰＵ１１は、取得した「ＧＰＳ情報」を基にデジタルカメラ１０の現在位置（既述の例によれば「明治神宮外苑」）を算出する。
【０１３２】
ステップＳ５０３：ＣＰＵ１１は、既述の募集写真情報データベースを検索して、デジタルカメラ１０の現在位置の示す地域で現在募集している挿絵写真の募集内容（募集写真情報）を取得する。
【０１３３】
（本発明の実施形態の補足事項等）
なお、デジタルカメラ１０からの画像送信時に、その画像の被写体によっては、複数のＷｅｂサイト，コンテンツ（地域情報等の記事など）で画像（挿絵写真）の募集要求がある場合もある。この場合には、送信先のＷｅｂサイトやコンテンツをユーザーがデジタルカメラ１０のＬＣＤモニタ上で選択（複数選択可）できるようにしてもよい。
【０１３４】
また、上記のデジタルカメラ１０では、スルー画像から募集の被写体が検出されたときに、その被写体に募集対象であることを示す情報を重畳させてスルー画像を表示したが、その表示と併せてビープ音などの音を発生させるようにしてもよい。あるいは、当該表示は行わずに、音のみを発生させるようにしてもよい。
【０１３５】
また、上記のデジタルカメラ１０では、挿絵写真をＷｅｂサイトに投稿するか否かをユーザーに指示させたが、指示させることなく暗黙（自動的）に挿絵写真を投稿するようにしてもよい。
【０１３６】
また、上記のデジタルカメラ１０では、挿絵写真をＷｅｂサイトに投稿するか否かをユーザーに指示させたが、その際に、既述の図９のように投稿条件の評価結果を表示するようにしてもよい。また、その表示の際に、挿絵写真に募集の被写体自体が写っていない場合はもちろん、募集の被写体に係るパラメータ（色、質感、シーン、形状など）のそれぞれの優先度や、一致したそれらパラメータの数（通常、色と形状は一致が必須）について、インターネットサーバー３０が指定する条件と合わない場合は、その写真が投稿できないものであることを警告表示するようにしてもよい。そして、そうした場合には、その写真の投稿を禁止するようにしてもよい。
【０１３７】
また、被写体の特徴を示すパラメータには、上記で説明した、色、質感、シーン、形状の他に、「季節」、「日時」、「時間帯」、「イベント（祭りや行事など）」を追加するようにしてもよい。
【０１３８】
また、インターネットサーバー３０が、挿絵写真の募集条件として複数の挿絵写真から成る「組み写真」を指定したときに、デジタルカメラ１０は、その「組み写真」を構成する全ての挿絵写真が撮影済みでない場合には、挿絵写真の投稿ができないことを警告表示するようにしてもよい。そして、その場合には、投稿を行わないようにしてもよい。
【０１３９】
また、デジタルカメラ１０では、インターネットサーバー３０への投稿済みの画像（挿絵写真）の一覧をＬＣＤモニタ等で確認できるようにしてもよい。
【０１４０】
また、デジタルカメラ１０では、インターネットサーバー３０から挿絵写真の募集内容を取得する際、その募集状況を取得できるようにしてもよい。
【０１４１】
また、デジタルカメラ１０では、スルー画像若しくは送信（投稿）しようとする挿絵写真が、既に投稿済みのものである場合、投稿済みであることをユーザーに表示するようにしてもよい。また、（インターネットサーバー３０を含めて）それを、投稿済みの挿絵写真と差し替える機能が有ってもよい。
【０１４２】
また、インターネットサーバー３０で募集する被写体が複数ある場合には、それら被写体の募集条件について「ＡＮＤ」や「ＯＲ」演算を可能とするようにしてもよい。そうすれば、「ＡＮＤ」演算を用いる場合には、例えば２つの被写体を含んだ挿絵写真に限定した募集または投稿が可能となる。
【０１４３】
また、挿絵写真を投稿したユーザーに対して、報酬（クーポン等のポイントや金額など）を与える仕組みを提供するようにしてもよい。そうした場合、デジタルカメラ１０に、例えば、報酬のポイントや金額を表示するようにしてもよい。
【０１４４】
また、デジタルカメラ１０では、スルー画像または本撮影により取得された撮影画像に写っている募集対象の被写体と共に、その募集の元となったＷｅｂサイトの記事の内容を表示するようにしてもよい。
【０１４５】
また、デジタルカメラ１０が挿絵写真をＷｅｂサイトに投稿する際に、投稿する挿絵写真に余計なもの、例えば、既述の「銀杏（イチョウ）」の場合、募集条件に関係しない「人」などの被写体が写っている場合は、「この写真は投稿できません」などという警告表示を行うようにしてもよい。そして、そうした場合には、その挿絵写真の投稿を禁止するようにしてもよい。
【０１４６】
また、デジタルカメラ１０が、ユーザーにより画像再生モードに設定された際に、記録媒体２２に記録された撮影画像のうちインターネットサーバー３０（挿絵写真募集サイト）で募集中の被写体が写った撮影画像（挿絵写真）を検知して、その検知した撮影画像（挿絵写真）を挿絵写真募集サイトに送信（投稿）するようにしてもよい。また、その際には、検知した撮影画像（挿絵写真）の一覧をサムネイル表示し、その一覧からユーザーが選択（複数選択可能）した撮影画像（挿絵写真）のみを挿絵写真募集サイトに送信（投稿）するようにしてもよい。
【０１４７】
また、上記では、デジタルカメラ１０が挿絵写真をＷｅｂサイトに投稿する場合を説明したが、上記の技術は、例えば、パーソナルコンピュータ（ＰＣ）で画像のブラウザに係るソフトウェアを使用する際などにも適用することができる。
【０１４８】
（本発明の実施形態の作用効果）
以下、本発明の実施形態の作用効果を説明する。
【０１４９】
本発明の実施形態の挿絵写真募集／投稿システムでは、デジタルカメラ１０が、インターネットサーバー３０（挿絵写真募集サイト）に、挿絵写真の募集内容を問い合わせる。なお、この問い合わせには、ユーザーにより与えられた「現在地情報」が含まれる。「現在地情報」は、ユーザーの現在居る地域を示す情報である。
【０１５０】
これを受信したインターネットサーバー３０（挿絵写真募集サイト）は、当該問い合わせ中の「現在地情報」を基に募集写真情報データベースを検索して、その「現在地情報」の示す地域で現在募集している挿絵写真の募集内容（募集写真情報）を取得する。なお、募集写真情報は、Ｗｅｂサイトに掲載される記事から抽出した被写体名と、その被写体名に対応させて予め定められた被写体の特徴を示すパラメータの色、質感、シーン、形状などの情報である。その後、インターネットサーバー３０（挿絵写真募集サイト）は、取得した募集写真情報を問合せ結果として含んだ応答を、デジタルカメラ１０に対して返送する。
【０１５１】
そして、デジタルカメラ１０は、インターネットサーバー３０（挿絵写真募集サイト）から受信した当該応答中の募集写真情報を検出条件として、ライブビュー表示時のスルー画像、また本撮影時の撮影画像から挿絵写真募集サイトで募集中の被写体を検出する。ライブビュー表示時に募集中の被写体を検出した場合、デジタルカメラ１０は、その検出元のスルー画像に募集中の被写体であることを示す情報を重畳してユーザーに表示する。また、本撮影時に募集中の被写体を検出した場合、デジタルカメラ１０は、その検出元の撮影画像をインターネットサーバー３０（挿絵写真募集サイト）に挿絵写真として投稿する。
【０１５２】
従って、本発明の実施形態の挿絵写真募集／投稿システムのデジタルカメラ１０によれば、インターネットのＷｅｂサイトなどで募集中の挿絵写真について、その募集内容にぴったり合う挿絵写真を撮影することができ、またその挿絵写真を投稿することができる。
【０１５３】
また、本発明の実施形態の挿絵写真募集／投稿システムでは、デジタルカメラ１０が、本撮影により取得した撮影画像をインターネットサーバー３０（挿絵写真募集サイト）に挿絵写真として投稿するか否かをユーザーに指示させる。
【０１５４】
従って、本発明の実施形態の挿絵写真募集／投稿システムのデジタルカメラ１０によれば、ユーザーの意図しない無用な投稿が抑制できる。
【０１５５】
また、本発明の実施形態の挿絵写真募集／投稿システムでは、デジタルカメラ１０が、本撮影により取得した撮影画像から募集中の被写体を検出できない場合、つまり、撮影画像が募集内容に合っていないものである場合には、その撮影画像のインターネットサーバー３０（挿絵写真募集サイト）への投稿を禁止する。
【０１５６】
従って、本発明の実施形態の挿絵写真募集／投稿システムのデジタルカメラ１０によれば、インターネットのＷｅｂサイトなどで募集中の挿絵写真について、その募集内容にぴったり合った挿絵写真のみを投稿することができる。
【０１５７】
本発明の実施形態（第１実施形態の変形例）の挿絵写真募集／投稿システムでは、デジタルカメラ１０が、インターネットサーバー３０（挿絵写真募集サイト）に挿絵写真の募集内容を問い合わせる際に、「現在地情報」として「ＧＰＳ情報」を用いる。このため、ユーザーは、デジタルカメラに「現在地情報」を入力する必要がない。
【０１５８】
従って、本発明の実施形態の挿絵写真募集／投稿システムのデジタルカメラ１０によれば、ユーザーは、インターネットのＷｅｂサイトなどで募集中の挿絵写真について、その募集内容にぴったり合う挿絵写真を手間無く簡単に撮影することができ、またその挿絵写真を手間無く簡単に投稿することができる。
【符号の説明】
【０１５９】
１０…デジタルカメラ，１１…撮影レンズ，１２…レンズ駆動部，１３…撮像素子，１４…アナログ信号処理部，１５…タイミングジェネレータ（ＴＧ），１６…バッファメモリ，１７…画像処理部，１８…無線通信部，１９…制御部，２０…モニタ，２１…圧縮／復号部，２２…記録媒体，２３…操作部，２４…バス
３０…インターネットサーバー，３１…ＣＰＵ，３２…操作部，３３…ハードディスク装置，３４…表示部，３５…入出力インターフェース（入出力Ｉ／Ｆ），３６…通信インターフェース（通信Ｉ／Ｆ）
【図１】
2010257215.tif 000003
【図２】
2010257215.tif 000004
【図３】
2010257215.tif 000005
【図４】
2010257215.tif 000006
【図５】
2010257215.tif 000007
【図６】
2010257215.tif 000008
【図７】
2010257215.tif 000009
【図８】
2010257215.tif 000010
【図９】
2010257215.tif 000011
【図１０】
2010257215.tif 000012
【図１１】
2010257215.tif 000013
【図１２】
2010257215.tif 000014
【図１３】
2010257215.tif 000015